Podtech/llm-jp-corpus-v4-ja_patent huggingface dataset:
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
対物レンズに対する標本の相対位置を焦点合わせ方向に変化させる焦準機構を備えた顕微鏡において、
前記対物レンズを介し、前記標本から発せられた観察光の輝度値を検出値として光電検出する光検出手段と、
前記光検出手段の検出値をもとに、前記相対位置が、前記対物レンズの焦点位置を含み前記相対位置に対して前記検出値が急激に変化する合焦目安範囲の境界位置を越えたか否かを判定する判定手段と、
前記判定手段の判定結果に応じ、前記相対位置が前記合焦目安範囲の境界位置を越えたことを報知する報知手段と、
を備えたことを特徴とする顕微鏡。
【請求項２】
前記判定手段は、前記検出値が前記境界位置に応じてあらかじめ定められた閾値以上であるか否かを判別し、この判別結果をもとに前記相対位置が前記境界位置を越えたか否かを判定することを特徴とする請求項１に記載の顕微鏡。
【請求項３】
前記光検出手段は、複数の検出時点で前記観察光を検出し、
前記判定手段は、前記検出時点ごとに前記検出値が前記閾値以上であるか否かを判別し、この判別結果が経時的に連続した前記検出時点間で異なる場合、前記相対位置が前記境界位置を越えたと判定することを特徴とする請求項２に記載の顕微鏡。
【請求項４】
前記判定手段は、前記検出値の変化率を算出し、この算出結果が前記境界位置に応じてあらかじめ定められた基準変化率以上または該基準変化率以下であるか否かを判別するとともに、この判別結果に応じて前記相対位置が前記境界位置を越えたか否かを判定することを特徴とする請求項１に記載の顕微鏡。
【請求項５】
前記光検出手段は、複数の検出時点で前記観察光を検出し、
前記判定手段は、前記検出時点ごとに、該検出時点に対して経時的に連続した前記検出時点からの前記検出値の変化率を算出し、この算出結果が前記基準変化率以上または該基準変化率以下であるか否かを判別するとともに、この判別結果に応じて前記相対位置が前記境界位置を越えたか否かを判定することを特徴とする請求項４に記載の顕微鏡。
【請求項６】
前記報知手段は、前記判定手段によって前記相対位置が前記境界位置を越えたと判定された判定時点に所定の報知情報を出力するかまたは該所定の報知情報の出力を停止することを特徴とする請求項１〜５のいずれか一つに記載の顕微鏡。
【請求項７】
前記光検出手段は、複数の検出時点で前記観察光を検出し、
前記判定手段は、前記検出時点ごとに前記相対位置が前記境界位置を越えたか否かを判定し、
前記報知手段は、前記判定時点から再び前記判定手段によって前記相対位置が前記境界位置を越えたと判定される再判定時点まで前記所定の報知情報を出力するかまたは該所定の報知情報の出力を停止することを特徴とする請求項６に記載の顕微鏡。
【請求項８】
前記焦準機構によって前記相対位置を変化させ、前記標本に対して前記対物レンズの焦点合わせをする制御を行う手段であって、前記報知手段によって前記相対位置が前記境界位置を越えたことが報知されるごとに前記焦点合わせを開始または停止させる制御を行う合焦制御手段を備えたことを特徴とする請求項１〜７のいずれか一つに記載の顕微鏡。
【請求項９】
前記合焦制御手段は、前記焦点合わせを停止させた場合、前記焦準機構によって前記相対位置を前記合焦目安範囲内に移動させる制御を行うことを特徴とする請求項８に記載の顕微鏡。
【請求項１０】
前記報知手段は、前記相対位置が前記境界位置を越えたことを音声情報によって報知することを特徴とする請求項１〜９のいずれか一つに記載の顕微鏡。
【請求項１１】
前記光検出手段は、前記観察光をもとに前記標本を撮影するカメラであることを特徴とする請求項１〜１０のいずれか一つに記載の顕微鏡。
【手続補正２】
【補正対象書類名】明細書
【補正対象項目名】０００８
【補正方法】変更
【補正の内容】
【０００８】
上述した課題を解決し、目的を達成するために、本発明にかかる顕微鏡は、対物レンズに対する標本の相対位置を焦点合わせ方向に変化させる焦準機構を備えた顕微鏡において、前記対物レンズを介し、前記標本から発せられた観察光の輝度値を検出値として光電検出する光検出手段と、前記光検出手段の検出値をもとに、前記相対位置が、前記対物レンズの焦点位置を含み前記相対位置に対して前記検出値が急激に変化する合焦目安範囲の境界位置を越えたか否かを判定する判定手段と、前記判定手段の判定結果に応じ、前記相対位置が前記合焦目安範囲の境界位置を越えたことを報知する報知手段と、を備えたことを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００２４
【補正方法】変更
【補正の内容】
【００２４】
投光管７は、照明光を発する光源としてのランプ８ａを有したランプハウス８が後端部（図１における右端部）に着脱自在に設けられている。ランプ８ａには、例えばハロゲンランプが用いられる。ランプ８ａが発した照明光は、投光管７の内部に設けられたレンズ系７ａおよびビームスプリッタ７ｂと、レボルバ４に取り付けられた対物レンズ３とを介して標本１に照射される。照射された照明光は、標本１で反射され、観察光として対物レンズ３およびビームスプリッタ７ｂを透過した後、結像鏡筒９内に設けられた結像レンズ９ａによって収斂され、標本１の観察像を結像する。光検出手段としてのカメラ１０は、その撮像面１０ａを結像レンズ９ａの結像面に合致させて設けられており、結像レンズ９ａによって結像された観察像を撮像し、その観察画像データを制御装置１１へ出力する。
【手続補正書】
【提出日】平成21年3月18日(2009.3.18)
【手続補正１】
【補正対象書類名】明細書
【補正対象項目名】００５３
【補正方法】変更
【補正の内容】
【００５３】
したがって、クエリ判断部１３０は、当該クエリと当該クエリの検索件数を参照する。例えば、関連クエリが「遺伝子配列」であるとすると、２行目に分割位置を設けた分割文字データ（「遺」、「伝子配列」）を抽出すると、当該分割文字データは、図４のテーブルによれば、「遺」が検索件数８０件、「伝子配列」が１５件である。これに対して、４行目に分割位置を設けた分割文字データ（「遺伝子」、「配列」）を抽出すると、当該分割文字データは、図４のテーブルによれば、「遺伝子」が検索件数６０００件、「配列」が４７０００件である。よって、前者の検索件数の和は、９５件であるのに対して、後者の検索件数の和は、５３０００件である。
【手続補正２】
【補正対象書類名】明細書
【補正対象項目名】００７６
【補正方法】変更
【補正の内容】
【００７６】
次に、所定のタイミングで、評価観点語判断部１９２は、クエリ記憶部１５０に記憶された検索件数を参照し、当該検索件数が所定以上の場合には、クエリ記憶部１５０に記憶すると判断する。図１０の例で、所定の値が３００であるとすると、「ＷＷＷモバイル」の評価対象語に対して、「小型キーボード」という語は、同時検索件数が６００であるため、所定の値を上回っている。そこで、評価観点語判断部１９２は、「小型キーボード」を評価観点語データベース１９５に記憶すると判断する。このような処理で、クエリ分析サーバ１００ｃは、評価観点語データベースを生成することが可能である。
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
１つのセルに少なくとも２値より多くの状態を持つ多値フラッシュメモリであって、
前記１つのセルは多値状態を保持するための複数の記憶層を有し、
複数の前記セルはブロックを構成し、
前記フラッシュメモリは複数の前記ブロックを含み、
前記セルにデータを書き込む書込み手段を有し、
前記書込み手段は、前記複数のブロックから異なる２つのブロックを選びその相対する記憶層に同一のデータを書き込む、多値フラッシュメモリ。
【請求項２】
１つのセルに少なくとも２値より多くの状態を持つ多値フラッシュメモリへのデータを書き込む方法であって、
前記１つのセルは多値状態を保持するための複数の記憶層を有し、
複数の前記セルはブロックを構成し、
前記フラッシュメモリは複数の前記ブロックを含み、
前記方法は、
複数のブロックから異なる２つのブロックを選ぶステップと
選択された２つのブロックの相対する記憶層に同一のデータを書き込むステップとを含む、多値フラッシュメモリへのデータ書き込み方法。
【手続補正２】
【補正対象書類名】明細書
【補正対象項目名】発明の名称
【補正方法】変更
【補正の内容】
【発明の名称】多値フラッシュメモリおよび多値フラッシュメモリへのデータ書き込み方法
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
ユーザが登録する質問に対して他のユーザが回答を登録し、登録された質問および回答からなる知識を各ユーザが検索する知識検索装置であって、
ユーザによる質問および回答の登録時に流通するユーザごとの所有ポイントを記憶する記憶手段と、
質問を登録する質問ユーザの所有ポイントから質問登録時に支払われるビッドポイントを取得する取得手段と、
前記取得手段によって取得されたビッドポイントに応じて回答を登録する回答ユーザに付与されるボーナスポイントを算出する算出手段と、
前記取得手段によって取得されたビッドポイントおよび前記算出手段によって算出されたボーナスポイントを用いて前記記憶手段におけるユーザごとの所有ポイントを更新する更新手段と
を有することを特徴とする知識検索装置。
【請求項２】
前記取得手段は、
質問ユーザが任意に入力するビッドポイントを取得することを特徴とする請求項１記載の知識検索装置。
【請求項３】
前記算出手段は、
前記取得手段によって取得されたビッドポイントと同額のポイントをボーナスポイントとすることを特徴とする請求項１又は２に記載の知識検索装置。
【請求項４】
前記更新手段は、
質問ユーザの所有ポイントからビッドポイントを減算することを特徴とする請求項１〜３のいずれかに記載の知識検索装置。
【請求項５】
前記更新手段は、
回答ユーザの所有ポイントにビッドポイントおよびボーナスポイントを加算することを特徴とする請求項１〜４のいずれかに記載の知識検索装置。
【請求項６】
登録された回答から正解とされるベスト回答を選出する選出手段をさらに有し、
前記更新手段は、
前記選出手段によって選出されたベスト回答を登録した回答ユーザの所有ポイントにビッドポイントおよびボーナスポイントを加算することを特徴とする請求項１〜５のいずれかに記載の知識検索装置。
【請求項７】
前記更新手段は、
前記選出手段によって選出されたベスト回答と同一の回答を登録した複数の回答ユーザにボーナスポイントを分配し、複数の回答ユーザの所有ポイントに加算することを特徴とする請求項６記載の知識検索装置。
【請求項８】
前記選出手段は、
質問ユーザが正解として選択する回答をベスト回答に選出することを特徴とする請求項６又は７に記載の知識検索装置。
【請求項９】
前記選出手段は、
質問ユーザおよび回答ユーザ以外の投票ユーザによる投票を受け付ける受付手段を含み、
投票ユーザが正解として投票する回答をベスト回答に選出することを特徴とする請求項６又は７に記載の知識検索装置。
【請求項１０】
前記更新手段は、
前記受付手段によってベスト回答への投票が受け付けられた投票ユーザの所有ポイントにボーナスポイントを加算することを特徴とする請求項９記載の知識検索装置。
【請求項１１】
ユーザが登録する質問に対して他のユーザが回答を登録し、登録された質問および回答からなる知識を各ユーザが検索する知識検索装置におけるポイント更新方法であって、
ユーザによる質問および回答の登録時に流通するポイントであって、質問を登録する質問ユーザの所有ポイントから質問登録時に支払われるビッドポイントを取得する取得工程と、
前記取得工程にて取得されたビッドポイントに応じて回答を登録する回答ユーザに付与されるボーナスポイントを算出する算出工程と、
前記取得工程にて取得されたビッドポイントおよび前記算出工程にて算出されたボーナスポイントを用いて、ユーザごとの所有ポイントを記憶するデータベースを更新する更新工程と
を有することを特徴とするポイント更新方法。
【請求項１２】
ユーザが登録する質問に対して他のユーザが回答を登録し、登録された質問および回答からなる知識を各ユーザが検索するコンピュータにおけるポイント更新プログラムであって、前記コンピュータに、
ユーザによる質問および回答の登録時に流通するポイントであって、質問を登録する質問ユーザの所有ポイントから質問登録時に支払われるビッドポイントを取得する取得工程と、
前記取得工程にて取得されたビッドポイントに応じて回答を登録する回答ユーザに付与されるボーナスポイントを算出する算出工程と、
前記取得工程にて取得されたビッドポイントおよび前記算出工程にて算出されたボーナスポイントを用いて、ユーザごとの所有ポイントを記憶するデータベースを更新する更新工程と
を実行させることを特徴とするポイント更新プログラム。
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
クライアントにおける通常地図画面と投稿用地図画面の表示に使用される地図データを記録する記録部と、
前記クライアントによって入力され、前記地図データに基づく地図上の特定スポットのコンテンツを変更して前記通常地図画面上の地図に反映させるための地図変更情報を、前記投稿用地図画面に表示させる制御部とを備え、
前記制御部は、前記地図変更情報のうちで前記通常地図画面に反映させるか否かを判断する前のものを、前記地図変更情報が入力されてから前記地図変更情報の反映が行われるまでの段階に応じたアイコンで表示させ、前記地図変更情報のうちで前記通常地図画面に反映させないものを、前記地図変更情報の種類に応じたアイコンで表示させることを特徴とするサーバ。
【請求項２】
地図データを記録するサーバと、
前記地図データに基づいて、通常地図画面と投稿用地図画面とを表示するクライアントとを備え、
前記クライアントを介して入力され、前記地図データに基づく地図上の特定スポットのコンテンツを変更して前記通常地図画面上の地図に反映させるための地図変更情報を、前記投稿用地図画面に表示させる場合に、前記サーバと前記クライアントの少なくとも一方の制御部は、前記地図変更情報のうちで前記通常地図画面に反映させるか否かを判断する前のものを、前記地図変更情報が入力されてから前記地図変更情報の反映が行われるまでの段階に応じたアイコンで表示させ、前記地図変更情報のうちで前記通常地図画面に反映させないものを、前記地図変更情報の種類に応じたアイコンで表示させることを特徴とする地図表示システム。
【請求項３】
サーバに記録された地図データに基づいて、クライアントにおいて通常地図画面と、投稿用地図画面とを表示する地図表示方法であって、
前記クライアントを介して入力され、前記地図データに基づく地図上の特定スポットのコンテンツを変更して前記通常地図画面上の地図に反映させるための地図変更情報を表示する前記投稿用地図画面に、前記サーバと前記クライアントの少なくとも一方の制御部が、前記地図変更情報のうちで前記通常地図画面に反映させるか否かを判断する前のものを、前記地図変更情報が入力されてから前記地図変更情報の反映が行われるまでの段階に応じたアイコンで表示させる第１アイコン表示ステップと、
前記投稿用地図画面に、前記制御部が、前記地図変更情報のうちで前記通常地図画面に反映させないと判断したものを、前記地図変更情報の種類に応じたアイコンで表示させる第２アイコン表示ステップと備えることを特徴とする地図表示方法。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
電子供与体を含む液体中に浸漬され、光化学的反応または光電気化学的反応を行わせるための作用電極として電導体ないし半導体からなるアノード及び酸素還元反応を行わせる対極としてカソードと、前記アノードと前記カソードを電気的に接続する外部導線と、電子供与体を含む液体を収容する容器と、該液体及び／又は前記アノードに対して外部光源又は内部光源からの光を照射する手段とを有することを特徴とするバイオ光化学セル。
【請求項２】
前記液体は溶液又は懸濁液である請求項１記載のバイオ光化学セル。
【請求項３】
前記電子供与体はバイオマスを含む有機化合物と無機化合物から選ばれた１種以上であることを特徴とする請求項１記載のバイオ光化学セル。
【請求項４】
前記容器は前記液体の流入口と流出口を有することを特徴とする請求項１又は２記載のバイオ光化学セル。
【請求項５】
前記液体に光増感剤を存在させたことを特徴とする請求項１記載のバイオ光化学セル。
【請求項６】
請求項１から５のいずれかに記載のバイオ光化学セルを小型化かつ簡素化した化学実験用あるいは教材用バイオ光化学セル。
【請求項７】
請求項１又は２に記載のバイオ光化学セルを複数個接続したことを特徴とするバイオ光化学セルモジュール。
【請求項８】
前記バイオ光化学セルモジュール内を前記液体が流通するように、液体の流入口と流出口を設けたことを特徴とする請求項７記載のバイオ光化学セルモジュ−ル。
【請求項９】
電子供与性化合物体を含む液体中に浸漬され、光化学的反応または光電気化学的反応を行わせるための作用電極として電導体ないし半導体からなるアノード及び酸素還元反応を行わせる対極としてカソードと、前記アノードと前記カソードを電気的に接続する外部導線と、電子供与体を含む液体を収容する容器と、該液体及び／又は前記アノードに対して外部光源又は内部光源からの光を照射する手段とを有するバイオ光化学セル又は該バイオ光化学セルを複数集合したバイオ光化学セルモジュールを用いて、前記電子供与性化合物を含む溶液または懸濁液を，酸素共存下において，前記アノードの表面及び／又は前記液体に対して光照射することにより，前記電子供与体を化学的に処理することを特徴とする化学的処理方法。
【請求項１０】
環境汚染物質を含有する電子供与性化合物を含む液体中に浸漬され、光化学的反応または光電気化学的反応を行わせるための作用電極として電導体ないし半導体からなるアノード及び酸素還元反応を行わせる対極としてカソードと、前記アノードと前記カソードを電気的に接続する外部導線と、前記電子供与性化合物を含む液体を収容する容器と、該液体及び／又は前記アノードに対して外部光源又は内部光源からの光を照射する手段とを有するバイオ光化学セルを用いて、前記電子供与性化合物を含む溶液または懸濁液に光照射して前記環境汚染物質を分解することを特徴とする化学的処理方法。
【請求項１１】
前記液体は溶液又は懸濁液である請求項９又は１０記載の化学的処理方法。
【請求項１２】
電子供与性化合物を含む液体中に浸漬され、光化学的反応または光電気化学的反応を行わせるための作用電極として電導体ないし半導体からなるアノード及び酸素還元反応を行わせる対極としてカソードと、前記アノードと前記カソードを電気的に接続する外部導線と、電子供与体を含む液体を収容する容器と、該液体及び／又は前記アノードに対して外部光源又は内部光源からの光を照射する手段とを有するバイオ光化学セル又は該バイオ光化学セルを複数集合したバイオ光化学セルモジュールを用いて、前記電子供与性化合物を含む溶液または懸濁液に光照射して光電流を発生させてその光電流値と液中の溶質濃度の関係をあらかじめ求めておき，未知濃度の液体の検体について光電流を測定し、予め求めた光電流値と液中の溶質濃度の関係から未知検体の溶質濃度を決定することを特徴とする分析方法。
【請求項１３】
電子供与性化合物を含む液体中に浸漬され、光化学的反応または光電気化学的反応を行わせるための作用電極として電導体ないし半導体からなるアノード及び酸素還元反応を行わせる対極としてカソードと、前記アノードと前記カソードを電気的に接続する外部導線と、電子供与体を含む液体を収容する容器と、該液体及び／又は前記アノードに対して外部光源又は内部光源からの光を照射する手段とを有するバイオ光化学セル又は該バイオ光化学セルを複数集合したバイオ光化学セルモジュールを用いて、前記電子供与性化合物を含む溶液または懸濁液に光照射して光電流を発生させてその光電流値と液中の溶質濃度の関係をあらかじめ求めておき，未知濃度の液体の検体について光電流を測定し、予め求めた光電流値と液中の溶質濃度の関係から未知検体の溶質濃度を決定することを特徴とするセンサ。
【請求項１４】
請求項１３のセンサを備えたことを特徴とする計測器。
【請求項１５】
電子供与性化合物を含む液体中に浸漬され、光化学的反応または光電気化学的反応を行わせるための作用電極として電導体ないし半導体からなるアノード及び酸素還元反応を行わせる対極としてカソードと、前記アノードと前記カソードを電気的に接続する外部導線と、電子供与体を含む液体を収容する容器と、該液体及び／又は前記アノードに対して外部光源又は内部光源からの光を照射する手段とを有するバイオ光化学セル又は該バイオ光化学セルを複数集合したバイオ光化学セルモジュールを用いて、前記電子供与性化合物を含む溶液または懸濁液に光照射して光電流を発生させてその光電流値と液中の溶質濃度の関係をあらかじめ求めておき，未知濃度の液体の検体について光電流を測定し、予め求めた光電流値と液中の溶質濃度の関係から未知検体の溶質濃度を決定することを特徴とする発電方法。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
調和された空気を設置空間内に供給する空気調和機において、
所定の空調運転モードの運転を行う空調手段と、
設置空間内に動体が存在するか否かを検出するとともに、動体が存在する場合にはその位置情報を検出する動体検知手段と、
空気調和機に対する運転指示を設定するための設定手段と、
前記設定手段で有害成分放出運転が指示された際に、人体に長時間照射されると有害となる有害成分を設置空間内に向けて放出する放出手段と、
放出手段の前記有害成分の放出方向を変更する放出方向変更手段と、
前記放出方向変更手段の放出方向を制御する制御手段とを備え、
前記制御手段は、前記設定手段により有害成分放出運転が指示されると、前記動体検知手段の検出結果をチェックし、設置空間内に動体が存在する場合には、その位置情報に基づいて動体の存在位置を避けて設置空間内に前記放出手段の有害成分が放出されるように前記放出方向変更手段を制御することを特徴とする空気調和機。
【請求項２】
調和された空気を設置空間内に供給する空気調和機において、
所定の空調運転モードの運転を行う空調手段と、
設置空間内に動体が存在するか否かを検出するとともに、動体が存在する場合にはその位置情報を検出する動体検知手段と、
空気調和機に対する運転指示を設定するための設定手段と、
前記設定手段で殺菌運転が指示された際に、殺菌成分を設置空間内に向けて放出する放出手段と、
放出手段の前記殺菌成分の放出方向を変更する放出方向変更手段と、
前記放出方向変更手段の放出方向を制御する制御手段とを備え、
前記制御手段は、前記設定手段により殺菌運転が指示されると、前記動体検知手段の検出結果をチェックし、設置空間内に動体が存在する場合には、その位置情報に基づいて動体の存在位置を避けて設置空間内に前記放出手段の殺菌成分が放出されるように前記放出方向変更手段を制御することを特徴とする空気調和機。
【請求項３】
設置空間内の湿度を検出する湿度検出手段を更に備え、前記制御手段は、殺菌運転が指示された際、前記動体検知手段の検出結果をチェックを行う前に、前記湿度検出手段で検出された湿度が予め設定された閾値以上か否かを判断し、閾値以上であるとき、前記動体検知手段の検出結果のチェックを行い、閾値未満のとき、殺菌運転を終了することを特徴とする請求項２記載の空気調和機。
【請求項４】
前記制御手段は、前記設置空間内に動体が存在しない場合には、設置空間全体にわたって前記殺菌成分が放出されるように前記放出方向変更手段を制御することを特徴とする請求項２又は請求項３記載の空気調和機。
【請求項５】
前記放出方向変更手段は、左右の風向を制御する左右風向制御手段であることを特徴とする請求項１乃至請求項４の何れかに記載の空気調和機。
【請求項６】
使用者の個人識別情報を取得し、取得した個人識別情報と予め登録された個人識別情報とを照合する個人識別手段を更に備え、また、前記設定手段は、前記殺菌成分の放出条件を設定変更可能に構成されており、前記制御手段は、前記個人識別手段の照合結果が一致の場合、前記設定手段からの前記殺菌成分の放出条件の設定変更を受け付けることを特徴とする請求項２乃至請求項５の何れかに記載の空気調和機。
【請求項７】
前記殺菌成分の放出条件は、放出方向及び／又は放出量であることを特徴とする請求項６記載の空気調和機。
【請求項８】
前記放出手段の前記殺菌成分の放出方向を前記設置空間内に代えて空気調和機本体内に切り替える切り替え手段を有し、前記殺菌成分を前記空気調和機本体内に向けて放出することで前記空気調和機本体内の殺菌を可能としたことを特徴とする請求項２乃至請求項７の何れかに記載の空気調和機。
【請求項９】
前記放出手段を、空気調和機本体内の上下方向に移動可能な手段を有することを特徴とする請求項８記載の空気調和機。
【請求項１０】
前記空気調和機本体内を殺菌するタイミングは、空気調和機の不使用時又は殺菌運転の停止時としたことを特徴とする請求項８又は請求項９記載の空気調和機。
【請求項１１】
前記殺菌成分は紫外線であることを特徴とする請求項２乃至請求項１０の何れかに記載の空気調和機。
【請求項１２】
外部端末と通信可能なネットワーク通信手段を備え、前記殺菌運転の開始・停止及び放出量の制御を前記外部端末から制御できるようにしたことを特徴とする請求項２乃至請求項１１の何れかに記載の空気調和機。
【手続補正２】
【補正対象書類名】明細書
【補正対象項目名】０００６
【補正方法】変更
【補正の内容】
【０００６】
本発明に係る空気調和機は、調和された空気を設置空間内に供給する空気調和機において、所定の空調運転モードの運転を行う空調手段と、設置空間内に動体が存在するか否かを検出するとともに、動体が存在する場合にはその位置情報を検出する動体検知手段と、空気調和機に対する運転指示を設定するための設定手段と、設定手段で有害成分放出運転が指示された際に、人体に長時間照射されると有害となる有害成分を設置空間内に向けて放出する放出手段と、放出手段の有害成分の放出方向を変更する放出方向変更手段と、放出方向変更手段の放出方向を制御する制御手段とを備え、制御手段は、設定手段により有害成分放出運転が指示されると、動体検知手段の検出結果をチェックし、設置空間内に動体が存在する場合には、その位置情報に基づいて動体の存在位置を避けて設置空間内に放出手段の有害成分が放出されるように放出方向変更手段を制御するものである。
【手続補正３】
【補正対象書類名】明細書
【補正対象項目名】０００７
【補正方法】変更
【補正の内容】
【０００７】
この発明によれば、有害成分を、人体や動物などの動体を避けて居住空間内に放出することができ、居住空間の効率的な殺菌が可能な空気調和機を得ることができる。
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
共振型光センサであって、
波長λで光検知信号を受けるための入力導波路と、
γ（ｉｎ）として規定される前記入力導波路との間の結合係数を有する、固定された固有の損失γおよび関連する固有のＱファクタＱｉｎｔを示す共振型光装置を含み、前記共振型光装置は、前記入力導波路の出力に結合して内部に光検知信号を伝播させ、そしてセンサ近傍の媒体の関数として共振スペクトルを生成するものであり、さらに、
γ（ｏｕｔ）として規定される前記共振型光装置との間の結合係数を有する出力導波路を含み、前記出力導波路は、共振透過スペクトルを受けるために前記共振型光装置の出力に結合されており、最大の勾配および／あるいは最も鋭いピークを有する共振スペクトルを生成するために前記共振型光センサの一つ以上の可変パラメータセットを調整することにより近傍の媒体の変化を測定する感度について前記共振型光センサが最適化されることを特徴とする共振型光センサ。
【請求項２】
前記可変パラメータセットが、前記入力導波路、前記共振型光装置、および前記出力導波路の幾何学的形状、それらの間の間隔および物理的結合、並びに、前記入力導波路、前記共振型光装置、前記出力導波路およびそれらの間の空間の屈折率値を含むことを特徴とする請求項１に記載の共振型光センサ。
【請求項３】
前記センサが、結合係数および以下の式の関係に関わる固有値を変化させることにより関連するスペクトルにおいて最大の勾配を示すことを特徴とする請求項１に記載の共振型光センサ。
【数１】
2009014725.tif 000001
【請求項４】
前記センサが、結合係数および以下の式の関係に関わる固有値を変化させることにより関連するスペクトルにおいて最も鋭いピークを示すことを特徴とする請求項１に記載の共振型光センサ。
【数２】
2009014725.tif 000002
【請求項５】
前記共振型光装置が、単一の共振ピークを示すことを特徴とする請求項１に記載の共振型光センサ。
【請求項６】
透過スペクトルの最も鋭い単一の共振ピークが、Ｑファクタ＝１／２Ｑｉｎｔと関連することを特徴とする請求項５に記載の共振型光センサ。
【請求項７】
透過スペクトルの最も勾配が急な単一の共振ピークが、Ｑファクタ＝１／３Ｑｉｎｔと関連することを特徴とする請求項５に記載の共振型光センサ。
【請求項８】
反射スペクトルの最も鋭い単一の共振ピークが、Ｑファクタ＝３／４Ｑｉｎｔと関連することを特徴とする請求項５に記載の共振型光センサ。
【請求項９】
反射スペクトルの最も勾配が急な単一の共振ピークが、Ｑファクタ＝２／３Ｑｉｎｔと関連することを特徴とする請求項５に記載の共振型光センサ。
【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
複数の板材を間隔をあけて積層した積層体を貯水容器内の水に一部が浸漬した状態で回動して出入り可能となるように設置してなる加湿エレメントを備えた加湿器であって、
前記板材は、周方向に複数の取付孔を有するリング状板材からなり、前記積層体は、各前記リング状板材が少なくとも２箇所の取付孔をストレート軸からなる複数の連結部材に密嵌状態に差し込まれて固定されており、かつ該積層体の内腔部に、その積層された該リング状板材間の隙間を風が径方向に通過する気流を発生させる送風機が配置されてなることを特徴とする加湿器。
【請求項２】
複数の板材を間隔をあけて積層した積層体を貯水容器内の水に一部が浸漬した状態で回動して出入り可能となるように設置してなる加湿エレメントを備えた加湿器であって、
前記板材は、リング状板材からなり、
前記積層体は、各前記リング状板材の背面に設置された側板から突設されている連結部材に貫通され、各前記リング状板材の貫通部と連結部材の外周面が接触することにより、回り止め状態で保持されてなることを特徴とする加湿器。
【請求項３】
前記リング状板材における前記取付孔とは周方向で異なる複数箇所に、補助取付孔が形成されており、各リング状板材は、径方向で寸法がラフな複数の補助連結部材に各前記補助取付孔が遊嵌状態に差し込まれて補助的に固定されるようになっていることを特徴とする請求項１記載の加湿器。
【請求項４】
前記リング状板材は、前記取付孔の近傍に孔軸方向の凸部が設けられていることを特徴とする請求項１又は請求項３記載の加湿器。
【請求項５】
前記リング状板材は、樹脂インジェクション成形で製作され、前記凸部は、前記リング状板材の両面における前記取付孔の周りに設けられ、前記リング状板材の積層時に前後で相対する互いの凸部が突き合わせ可能になっていることを特徴とする請求項４記載の加湿器。
【請求項６】
前記リング状板材は、板金打ち抜き加工で製作され、前記凸部は、該リング状板材の一端面側からのプレス成形により該リング状板材の他端面側に突出させて設けられていることを特徴とする請求項４記載の加湿器。
【請求項７】
前記凸部は渦巻き状のリブからなり、該渦巻き状のリブは前記リング状板材の両面または片面に設けられており、各リング状板材の積層体を透過して見た場合、その渦巻方向が同一方向となるように構成されていることを特徴とする請求項４記載の加湿器。
【手続補正２】
【補正対象書類名】明細書
【補正対象項目名】０００８
【補正方法】変更
【補正の内容】
【０００８】
本発明に係る加湿器は、複数の板材を間隔をあけて積層した積層体を貯水容器内の水に一部が浸漬した状態で回動して出入り可能となるように設置してなる加湿エレメントを備えた加湿器であって、前記板材が、周方向に複数の取付孔を有するリング状板材からなり、前記積層体は、各前記リング状板材が少なくとも２箇所の取付孔をストレート軸からなる複数の連結部材に密嵌状態に差し込まれて固定されており、かつこの積層体の内腔部に、その積層されたリング状板材間の隙間を風が径方向に通過する気流を発生させる送風機が配置されてなるものである。
【手続補正３】
【補正対象書類名】明細書
【補正対象項目名】０００９
【補正方法】変更
【補正の内容】
【０００９】
本発明の加湿器によれば、板材が、周方向に複数の取付孔を有するリング状板材からなり、その少なくとも２箇所の取付孔をストレート軸からなる複数の連結部材に密嵌状態に差し込むことにより積層体を作成するので、位置決めが容易かつ確実となり、各リング状板材の組付後にガタつきや振動を生じることがなく、積層体の内腔部に配置される送風機との隙間を小さくすることができる。このため、不要な風漏れが発生せず、スペースの有効利用が図れ、装置のコンパクト化を図りながら加湿能力を向上させることができる。また、ストレート軸からなる連結部材に付着した水分も送風機により空気中に放出されるので、加湿量のさらなる増大に役立つ。
【手続補正書】
【提出日】平成21年1月8日(2009.1.8)
【手続補正１】
【補正対象書類名】特許請求の範囲
【補正対象項目名】全文
【補正方法】変更
【補正の内容】
【特許請求の範囲】
【請求項１】
ユーザによって画像を操作するための周辺装置（１２）と、
画像モデル化のためのメモリを持つ処理手段（３）と、
前記装置にユーザによって加えられる動き及び／又は力の関数として指令情報を前記周辺装置から前記処理手段へ伝送するための結合手段と、
少なくとも１つの画像表示手段と、
前記周辺装置から前記処理手段へ伝送された指令情報の関数である表示すべき画像を、前記処理手段から前記表示手段へ伝送するための結合手段と、を有しているアセンブリであって、
前記装置は、一動作モードにおいて、前記表示手段上で２Ｄナビゲーションを制御し、
前記処理手段（３）は、前記一動作モードにおいて、前記周辺装置から伝送された指令情報の関数として、前記表示手段上に表示されたポインタの２Ｄ移動を制御し、及び／又は前記ポインタの位置の関数として所与の機能を選択する手段を含んでおり、
また当該アセンブリは、前記装置を使用して前記表示手段上で２Ｄナビゲーションを制御する前記一動作モードから、３Ｄ画像を操作する別の動作モードへの切り換え、並びにその逆の切り換えを行うように、前記処理手段（３）を制御するユーザ作動手段を含んでいること、
を特徴とするアセンブリ。
【請求項２】
画像を観察するための設備であって、
請求項１記載のアセンブリを有し、前記周辺装置が手術室及び／又は検査室内に配置されている、設備。
【請求項３】
前記周辺装置が手術室及び／又は検査室内で患者用テーブルの縁部に配置されている、請求項２記載の設備。
【手続補正書】
【提出日】平成21年9月18日(2009.9.18)
【手続補正１】
【補正対象書類名】明細書
【補正対象項目名】特許請求の範囲
【補正方法】変更
【補正の内容】
【特許請求の範囲】
【請求項１】 アプリケーション画像を作成しかつ表示するためのディジタルＸ線イメージング・システムであって、
１つまたは複数のグリッド専用補正マップを格納するための手段と、
複数の非グリッド補正マップであって、該複数の非グリッド補正マップの各々が前記システム内のＸ線の特性に基づく、前記複数の非グリッド補正マップを格納するための手段と、
前記グリッド専用補正マップのうちの少なくとも１つ及び前記非グリッド補正マップのうちの１つを選択するための手段と、
前記選択されたグリッド専用補正マップ及び前記選択された非グリッド補正マップに基づいてアプリケーション画像を補正するための手段と、
補正済みのアプリケーション画像を表示するための手段と、
を備えるディジタルＸ線イメージング・システム。
【請求項２】アプリケーション画像を作成しかつ表示するためのディジタルＸ線イメージング・システムであって、
Ｘ線を生成する手段と、
画像を取得する手段と、
前記Ｘ線を生成する手段と前記画像を取得する手段との間に配置された少なくとも１つのグリッド手段と、
前記グリッド手段に基づいてアプリケーション画像を補正するためのグリッド専用補正マップを決定する手段と、
前記Ｘ線を生成する手段又は前記画像を取得する手段の特性に基づいてアプリケーション画像を補正するための非グリッド補正マップを決定する手段と、
前記グリッド専用補正マップ及び前記非グリッド補正マップに基づいてアプリケーション画像を補正するための手段と、
補正済みのアプリケーション画像を表示するための手段と、
を備えるディジタルＸ線イメージング・システム。
【請求項３】 アプリケーション画像を作成しかつ表示するためのディジタルＸ線イメージング・システムであって、
１つまたは複数のグリッド専用補正マップを格納するための手段と、
複数の非グリッド補正マップであって、該複数の非グリッド補正マップの各々が前記システム内のＸ線の特性に基づく、前記複数の非グリッド補正マップを格納するための手段と、
前記グリッド専用補正マップのうちの少なくとも１つ及び前記非グリッド補正マップのうちの少なくとも１つを選択するための手段と、
を備えるディジタルＸ線イメージング・システム。
【請求項４】 １つまたは複数のグリッドと１つまたは複数のその他の構成要素とを有するＸ線システムでアプリケーション画像を補正する方法であって、
アプリケーション画像内のグリッドの影響を補正するためのグリッド専用補正マップを決定するステップと、
前記システム内のＸ線の特性に基づく非グリッド補正マップであって、その他の構成要素のうちの１つまたは複数に基づく非グリッド影響のみに関してアプリケーション画像を補正するための非グリッド補正マップを決定するステップと、
前記グリッド専用及び非グリッド補正マップに基づいてアプリケーション画像を補正するステップと、
を含む方法。
【請求項５】 グリッド専用補正マップを決定する前記ステップが、グリッド無しの第１の画像を取得するステップと、グリッド有りの第２の画像を取得するステップと、前記第１及び第２の画像に基づいてグリッド専用補正マップを決定するステップと、を含む請求項４に記載の方法。
【請求項６】 第１及び第２の画像に基づいてグリッド専用補正マップを決定する前記ステップが、グリッド専用補正マップの１つまたは複数の値を次式［Ｙ2IJ−ＯＦＦ2IJ］＊［Ｙ1IJ−ＯＦＦ1IJ］-1に基づいて計算するステップを含み、上式において、Ｙ1IJ及びＹ2IJは第１及び第２の画像からのそれぞれの値に基づいており、またＯＦＦ1IJ及びＯＦＦ2IJは検出器のオフセットに基づいている、請求項５に記載の方法。
【手続補正書】
【提出日】平成19年7月3日(2007.7.3)
【手続補正１】
【補正対象書類名】明細書
【補正対象項目名】請求項１
【補正方法】変更
【補正の内容】
【請求項１】
格納された印刷データを印刷する際に、印刷済みのシートの間に別途供給される挿入シートを挿入する中差しを指定可能な印刷制御装置における印刷制御方法であって、
印刷設定画面を介して、中差し設定を含む印刷設定を入力する印刷設定入力工程と、
入力された印刷データを、前記印刷設定入力工程を介して入力された印刷設定と共に一時的に格納する格納工程と、
前記格納工程で格納されている印刷設定に基づいて、前記印刷データの各ページの画像オブジェクトのプレビュー画像を表示領域に表示するプレビュー表示工程と、
前記印刷設定入力工程により入力された印刷設定に中差し設定がなされているか判断する判断工程を備え、
前記判断工程により中差し設定がなされていると判断された場合に、前記プレビュー表示工程は、各ページのプレビュー画像に対して中差しされるシートの画像を付加した画像を表示領域に表示することを特徴とする印刷制御方法。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
酵母細胞原形質誘導体であって、非致死性損傷工程に曝された酵母培養物の発酵により生産された、酵母細胞壁物質を実質的に含まない酵母細胞原形質誘導体と、適当なキャリヤーまたは基剤とを含有するリップ組成物であって、該酵母細胞原形質誘導体が、該醗酵をタンパク質分解酵素を利用して酵母細胞壁を破壊することによって停止させ、得られた酵母細胞原形質誘導体を濃縮したものであることを特徴とするリップ組成物。
【請求項２】
酵母細胞原形質誘導体がサッカロマイセス細胞溶解物誘導体である請求項１記載のリップ組成物。
【請求項３】
全重量の０．０１重量％〜１５重量％の酵母細胞原形質誘導体を含有している請求項１記載のリップ組成物。
【請求項４】
人の唇に施用すると唇に修復性、潤滑性および湿潤性を与える請求項１記載のリップ組成物。
【請求項５】
全重量の７６重量％のキャリヤーと、０．０１重量％〜１５重量％の酵母細胞原形質誘導体とを含有する請求項１記載のリップ組成物。
【請求項６】
さらに７５重量％の湿潤化剤を含有する請求項５記載のリップ組成物。
【請求項７】
湿潤化剤が、ラノリン、植物油、ひまし油、イソプロピルパルミテート、鉱油、ペトロラタム、アボカド油、大豆油、カプリル酸／カプリン酸トリグリセリド、ジイソプロピルダイマーエート、メチコーンおよびこれらの組み合わせからなる群より選ばれたものである請求項６記載のリップ組成物。
【請求項８】
さらに０．６０重量％の治癒剤を含有している請求項５記載のリップ組成物。
【請求項９】
治癒剤が、ビタミンＥ、アラントイン、カンデリラワックス、アロエベラ、ペトロラタム、カラミン、ジメチコン、ココアバター、サメ肝油、グリセリン、酸化亜鉛、水酸化アルミニウム、カオリン、酢酸亜鉛、炭酸亜鉛およびこれらの組み合わせからなる群より選ばれたものである請求項８記載のリップ組成物。
【請求項１０】
さらに保湿ワックスを１５．０％含有している請求項５記載のリップ組成物。
【請求項１１】
保湿ワックスが、カンデリラワックス、セレシンワックス、オゾケライト、ラノリンワックス、蜜蝋、パラフィン、微結晶ワックス、動物性ワックス、植物性ワックス、合成ワックス、鉱物性ワックス、日本蝋、鯨蝋、ひまわりワックス、オレンジワックス、シェラックワックス、ライスワックス、ジョジョバワックス、バラ蝋、ジャスミン蝋およびこれらの組み合わせからなる群より選ばれたものである請求項１０記載のリップ組成物。
【請求項１２】
さらに着色剤を含有している請求項５記載のリップ組成物。
【請求項１３】
さらにアラントイン、アロエベラ、エラスチン、コラーゲン、ビタミンＥおよびその誘導体、ビタミンＡおよびその誘導体、ビタミンＣおよびその誘導体、リポゾーム、ヒアルロン酸ナトリウム、水、植物抽出物、リン脂質、シルク粉、マツヨイグサ油、コレステリルブログルタミン酸エステル、ヒアルロン酸、バラ実油、ラウロイルリシンならびにこれらの組み合わせからなる群より選ばれた付加的活性成分を含有している請求項５記載のリップ組成物。
【請求項１４】
唇に施用すると、唇の湿り度が１時間後に４倍増加する請求項５記載のリップ組成物。
【請求項１５】
唇に施用すると、唇のひび割れた細胞の迅速な剥離をもたらす請求項５記載のリップ組成物。
【請求項１６】
全重量の７０重量％〜９０重量％の、ヒドロキシル化ラノリンとポリブテンとを含有する基剤と、０．０１重量％〜１５．０重量％の酵母細胞原形質誘導体とを含有している請求項１記載のリップ組成物。
【請求項１７】
さらに２．０重量％〜９．０重量％の着色剤を含有している請求項１６記載のリップ組成物。
【請求項１８】
基剤の含有量が７６重量％である請求項１６記載のリップ組成物。
【請求項１９】
酵母細胞原形質誘導体の含有量が０．５重量％である請求項１６記載のリップ組成物。
【請求項２０】
組成物を唇に施用することを包含する唇の処置方法であって、該組成物が、非致死性損傷工程に曝された酵母培養物の発酵により生産された、酵母細胞壁物質を実質的に含まない酵母細胞原形質誘導体と、適当なキャリヤーまたは基剤とを含有する組成物であって、該酵母細胞原形質誘導体が、該醗酵をタンパク質分解酵素を利用して酵母細胞壁を破壊することによって停止させ、得られた酵母細胞原形質誘導体を濃縮したものであることを特徴とする唇の処置方法。
【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
遊離塩基またはその酸付加塩形にある式Ｉ：
【化１】
2009143956.tif 000001
［式中、
ＸはＣＨ２または一重結合であり；
Ｙは式： 
【化２】
2009143956.tif 000002
で示される基であり；そして
Ｒは置換もしくは非置換のＣ５〜Ｃ１０アリールまたは置換もしくは非置換のヘテロ−Ｃ５〜Ｃ１０アリール、Ｎ（Ｒ１）（Ｒ４）、またはＮ（Ｒ２）（ＣＨＲ３Ｒ４）であり；ここにＲ１、Ｒ２およびＲ３は何れも独立してＨ、Ｃ１〜Ｃ４アルキルまたはＣＦ３であり；そしてＲ４は置換もしくは非置換のＣ５〜Ｃ１０アリールまたは置換もしくは非置換のヘテロ−Ｃ５〜Ｃ１０アリールである］
で示されるアザビシクロアルキル誘導体。
【請求項２】
遊離塩基またはその酸付加塩形にある請求項１に記載の式Ｉで示されるアザビシクロアルキル誘導体：
［式中、
ＸがＣＨ２または一重結合であり；
Ｙが式：
【化３】
2009143956.tif 000003
で示される基であり；そして
Ｒがフェニル、ナフチル、テトラヒドロナフチル、インダニル、チエニル、ベンゾチエニル、フラニル、ベンゾフラニル、イソベンゾフラニルであって、いずれも非置換であるかまたは次の基でモノ−、ジ−もしくはトリ置換されることができる：
ハロゲン、シアノ、ホルミル、アセチル、Ｃ１〜Ｃ３アルコキシカルボニル、Ｎ，Ｎ−ジ（Ｃ１〜Ｃ３アルキル）カルバモイル、フェニル、フェノキシ、メチレンジオキシ、エチレンジオキシ；または
Ｃ１〜Ｃ４アルキル、Ｃ２〜Ｃ４アルケニル、Ｃ２〜Ｃ４アルキニルまたはＣ１〜Ｃ４アルコキシであって、この残基自体も非置換であるかまたはハロゲンでモノ−、ジ−もしくはトリ置換されることができる］。
【請求項３】
遊離塩基またはその酸付加塩形にある請求項１に記載の式Ｉ：
［式中、
ＸがＣＨ２または一重結合であり；
Ｙが式：
【化４】
2009143956.tif 000004
で示される基であり；そして
Ｒが
（ａ）非置換フェニルであるか、または
ハロゲン、シアノ、メチレンジオキシ、
非置換であるかハロゲンでモノ−、ジ−もしくはトリ置換されたＣ１〜Ｃ４アルキル、または
非置換であるかハロゲンでモノ−、ジ−もしくはトリ置換されたＣ１〜Ｃ４アルコキシ
でモノ−、ジ−もしくはトリ置換されたフェニルであるか；
（ｂ）ナフチル、インダニル、テトラリニルであるか；または
（ｃ）フラニル、ベンゾフラニル、イソベンゾフラニル、ベンゾチエニルまたはチエニルである］
で示されるアザビシクロアルキル誘導体。
【請求項４】
遊離塩基またはその酸付加塩形にある請求項１に記載の式Ｉ：
［式中、
ＸがＣＨ２または一重結合であり；
Ｙが式：
【化５】
2009143956.tif 000005
で示される基であり；そして
Ｒが
（ａ）非置換のフェニルであるか、または
ハロゲン、シアノ、メチレンジオキシ、
非置換であるかハロゲンでモノ−、ジ−もしくはトリ置換されたＣ１〜Ｃ４アルキル、または
非置換であるかハロゲンでモノ−、ジ−もしくはトリ置換されたＣ１〜Ｃ４アルコキシ、
でモノ−、ジ−もしくはトリ置換されたフェニルであるか；
（ｂ）ナフチルであるか；または
（ｃ）フラニル、ベンゾフラニル、イソベンゾフラニルまたはチエニルである］
で示されるアザビシクロアルキル誘導体。
【請求項５】
式ＩＩ： 
【化６】
2009143956.tif 000006
［式中、ＹおよびＲは請求項１で定義したものと同意義であり；そして
ｚは脱離基である］
で示される化合物と式ＩＩＩ：
【化７】
2009143956.tif 000007
［式中、Ｘは請求項１で定義したものと同意義である］
で示される化合物とを反応させる段階、および生成した遊離塩基または酸付加塩の形にある式Ｉで示される化合物を回収することを含む請求項１に記載の式Ｉで示されるアザビシクロアルキル誘導体またはその塩の製法。
【請求項６】
医薬として使用するための遊離塩基形または医薬的に許容される酸付加塩形にある請求項１〜４のいずれかに記載のアザビシクロアルキル誘導体。
【請求項７】
精神疾患および神経変性疾患の予防および処置に使用するための、遊離塩基形または医薬的に許容される酸付加塩形にある請求項１〜４のいずれかに記載のアザビシクロアルキル誘導体。
【請求項８】
遊離塩基形または医薬的に許容される酸付加塩形にある請求項１〜４のいずれかに記載のアザビシクロアルキル誘導体を医薬的担体または希釈剤と共に含む医薬組成物。
【請求項９】
α７−ｎＡＣｈＲ活性化が関与するか関連する疾患および病状を処置または予防における使用のための遊離塩基形または医薬的に許容される酸付加塩形にある請求項１〜４のいずれかに記載のアザビシクロアルキル誘導体。
【手続補正書】
【提出日】平成21年7月13日(2009.7.13)
【手続補正１】
【補正対象書類名】明細書
【補正対象項目名】００１０
【補正方法】変更
【補正の内容】
【００１０】  以下、上記構成の動作を説明する。先ず、閉じている密閉袋の開閉口のファスナーを開き、保存する食品の入った器の蓋をしたまま密閉袋の中に入れてファスナーを確り閉じる。そして、中空筒の爪を引き上げて蓋栓を開け、一方の手の親指と人差し指で蓋栓を下に押さえ込みながら外周壁中程を掴み、他方の手で密閉袋ごと器を押さえてから、吸引口の周り縁を唇で咥え、空気を深く吸い込み始めると栓の弁は開き、密閉袋内の空気は吸い出され始め、そして、吸い出しを止めると弁は閉じて、密閉袋内は外気と遮断される。再び、空気を吸い込始めると弁は開き、吸い出され始め、吸い込みを止めると弁は閉じて外気を遮断する。この動作を何回か繰り返すことで、密閉袋内は真空状態になるのである。そして、吸引口に蓋栓をする。なを、食品を密閉袋のままレンジで加熱する時は、蓋栓を外す。
また、使用者の口の利用に替えて、吸引口の内径に整合する筒先を持った周り縁付吸引管を使用しても効果は変わらない。そして又、吸引口の内径に整合する筒先を持つ手動式空気抜きポンプを使用しても効果は変わらない。
実実施態様として、１．外周壁１、外周壁１５の中部から下部に伸縮自在する蛇腹の外周壁を形成する方法。